(57)【要約】【課題】本発明は、比較的大型の備え付け椅子であっても、移動を容易とし、かつ、移動の必要が無い場合には、通常の備え付け椅子としても利用可能な椅子を提供するとともに、さらには、記載台としてのテーブルを備え、会議などの場で筆記を容易とするテーブルを備えた、使用性の高い椅子を提供することを課題とする。【解決手段】上記課題を解決すべく、本発明の請求項１に記載の発明は、座の後部に背凭れを有する腰掛け部の左右両側に、側面形がほぼ矩形状を呈して、上部が肘掛けとなる脚部を備える椅子であって、脚部の下端後部に、走行をロックするロック機能付きキャスタを、少なくともその一部が脚部より後下方に突出するようにして取り付けることで、ロック機能付きキャスタのロック若しくはロック解除部が脚部より後方に配置されるようにしたことを特徴とする、椅子である。【選択図】図１
2011125616.tif 000002
【特許請求の範囲】
【請求項１】
座の後部に背凭れを有する腰掛け部の左右両側に、側面形がほぼ矩形状を呈して、上部が肘掛けとなる脚部を備える椅子であって、
脚部の下端後部に、走行をロックするロック機能付きキャスタを、少なくともその一部が脚部より後下方に突出するようにして取り付けることで、ロック機能付きキャスタのロック若しくはロック解除部が脚部より後方に配置されるようにしたことを特徴とする、椅子。
【請求項２】
前記ロック機能付きキャスタの突出部分の外側に位置して目隠しとなるカバーを、脚部の下端後部より後下方に突出して設けたことを特徴とする、請求項１記載の椅子。
【請求項３】
前記カバーの突出部分が、ロック機能付きキャスタの突出部分の側面形とほぼ補形をなす形状であることを特徴とする、請求項２記載の椅子。
【請求項４】
前記脚部が、後縁を斜め下後方に傾斜させたものであることを特徴とする、請求項１乃至３記載の椅子。
【請求項５】
前記脚部が、上部の肘掛けに格納空間を有し、前記ロック機能付きキャスタの取付け部と対角位置となる上端前部に、前記格納空間より取り出されて脚部の前方位置に支持される格納式テーブルの支持具を、当該支持部の前部を前方に突出させて設けていることを特徴とする、請求項１乃至４記載の椅子。
【発明の詳細な説明】
【技術分野】
【０００１】
本発明は、ロビーやラウンジ等で使用される比較的大型の椅子に関し、ロック機能付きキャスタを有して安定的に固定しかつ移動自在とし、さらには、筆記等のための格納式のテーブルをも有する椅子に関する。
【背景技術】
【０００２】
従来、銀行の窓口やホテルのラウンジ等で用いられる一人掛けのロビー用の椅子が知られている（例えば、特許文献１）。このようなロビー用の椅子（例えば、応接椅子）は、窓口の待ち時間等にリラックスした気分で着座できるよう、主に一人掛けのソファタイプが用いられる。しかしながら、このようなロビー用の椅子は、比較的大型の備え付け椅子を用いるため、移動時に持ち上げて移動させる必要がある。このため、通常の営業時間中は使用位置に配置された固定の椅子として使用し、営業時間後に会議等で用いる場合に、椅子自体を移動させることが困難であった。
【０００３】
特に、脚部の下端にキャスタを備えて椅子を移動自在とする場合に、脚部の前後幅が狭くて前後のキャスタの配置間隔が狭いと、背凭れに凭れ掛かったり、椅子を走行移動させる際には、不安定で前後に転倒することがあり、前後のキャスタの配置間隔を広くして安定して走行させようとすると、脚部自体の前後幅を広くする必要があり、より大型で重量の大きい椅子となってしまう。さらには、背凭れに凭れか掛かっても後に転倒しないよう、移動不能に固定して使用するために、通常のキャスタの回転を止める構成のロック機能付きキャスタを採用した場合には、ロックまたはロック解除のためのレバーやボタン等のロック解除部が脚部の下方に隠れてしまいその操作が面倒でもあった。さらには、このような椅子を会議用として用いる場合、筆記のためのテーブルがついておらず筆記が困難といった問題があった。
【０００４】
【特許文献１】特開２０００−１６６６８７号公報
【発明の概要】
【発明が解決しようとする課題】
【０００５】
本発明は、上記問題に鑑み、比較的大型の備え付けロビー用の椅子であっても、移動を安定的に容易とし、かつ、移動の必要が無い場合には、通常の備え付けタイプとしても利用可能なロビー用の椅子を提供することを課題とし、さらには、会議などの場で筆記できる記載台としてのテーブルを備えた、使用性の高い椅子を提供することを課題とする。
【課題を解決するための手段】
【０００６】
上記課題を解決すべく、本発明の請求項１に記載の発明は、座の後部に背凭れを有する腰掛け部の左右両側に、側面形がほぼ矩形状を呈して、上部が肘掛けとなる脚部を備える椅子であって、脚部の下端後部に、走行をロックするロック機能付きキャスタを、少なくともその一部が脚部より後下方に突出するようにして取り付けることで、ロック機能付きキャスタのロック若しくはロック解除部が脚部より後方に配置されるようにしたことを特徴とする。
【０００７】
また、請求項２に記載の発明は、請求項１に記載のロビーチェアにおいて、前記ロック機能付きキャスタの突出部分の外側に位置して目隠しとなるカバーを、脚部の下端後部より後下方に突出して設けたことを特徴とする。
【０００８】
また、請求項３に記載の発明は、請求項２に記載のロビーチェアにおいて、前記カバーの突出部分が、ロック機能付きキャスタの突出部分の側面形とほぼ補形をなす形状であることを特徴とする。
【０００９】
また、請求項４に記載の発明は、請求項１乃至３に記載のロビーチェアにおいて、前記脚部が、後縁を斜め下後方に傾斜させたものであることを特徴とする。
【００１０】
また、請求項５に記載の発明は、請求項１乃至４に記載のロビーチェアにおいて、前記脚部が、上部の肘掛けに格納空間を有し、前記ロック機能付きキャスタの取付け部と対角位置となる上端前部に、前記格納空間より取り出されて脚部の前方位置に支持される格納式テーブルの支持具を、当該支持部の前部を前方に突出させて設けていることを特徴とする。
【発明の効果】
【００１１】
本発明の請求項１に記載の発明によれば、座部の左右両側に備えるほぼ矩形状の脚部の下端後部に、走行をロックするロック機能付きキャスタを、脚部より後下方に突出して取り付けたから、例えば、比較的大型の椅子を移動させる際にも、椅子を後方に傾斜させ椅子の前方を僅かに浮かせた状態で、簡単に移動させることが可能である。特に、椅子の傾斜により脚部の後方が床面に当接してしまい脚部を擦ってしまうことなく、スムースに椅子を移動させることが可能である。
また、脚部の下端前部に、下方に突出するキャスタを有する場合も、床面を走行する前後のキャスタの位置を広くすることができて、安定して走行移動させることができ、さらには、キャスタのロック若しくはロック解除のためのレバーやボタン等が脚部より後方に配置されることで、ロックまたはロック解除も容易にできるようにしたロビー用の椅子を提供することが可能である。また、脚部の下端後部のみにロック機能付きキャスタを後下方に突出して取り付けることで、着座者の足元の邪魔となることもなく、着座者によって不用意にロックまたはロックが解除される誤操作を生じることもない。
【００１２】
また、請求項２に記載の発明によれば、ロック機能付きキャスタの少なくとも外側に位置して目隠しとなるカバーを、脚部の下端後部より後下方に突出して設けたから、ロック付きキャスタを目隠しして意匠性にも優れているだけでなく、カバーを金属等の硬質な素材とすれば、移動時にロック機能付きキャスタがテーブルや壁面等に衝突して破損することも防止できる椅子を提供することが可能である。さらには、前記カバーをロック機能付きキャスタの外側に接近して設ければ、ロック機能付きキャスタが垂直な取付軸まわりに回転する範囲をカバーにより規制することも可能である。
【００１３】
また、請求項３に記載の発明によれば、カバーの突出部分を、ロック機能付きキャスタの側面形とほぼ補形をなす円弧形状とすることで、ロック付きキャスタをほぼ覆い隠すことが可能であり、前述の目隠し効果のみならず、キャスタの破損防止効果をさらに確実に奏することができる。
【００１４】
また、請求項４に記載の発明によれば、脚部の後縁を斜め下後方に傾斜させたから、脚部全体を比較的軽量なものとしながら、前後のキャスタの配置間隔を広くして安定して走行移動できる椅子を提供することが可能である。
【００１５】
また、請求項５に記載の発明によれば、脚部における、後下方に突出して設けたロック機能付きキャスタの取付け部と対角位置となる上端前部に、脚部の前方位置に支持される格納テーブルの支持具を設けたから、テーブルとロック機能付きキャスタの前後の配置関係を広くしてバランス良くでき、凭れ掛かるなどしてテーブルに上方からの大きな荷重が掛かっても、椅子の後部が浮き上がって前方に転倒することなく安定性を増すことができる。さらに、テーブルの支持具の前部を脚部より前方に突出させて設けているから、テーブルが脚部に格納されていることを着座者に認識させ易い椅子を提供することが可能である。
【発明を実施するための形態】
【００１６】
本発明の椅子１の一例としては、図１（ａ）に示すように、銀行のロビーやホテルのラウンジ等で使用される比較的大型の椅子１であって、クッション性の高い座３と座３の後部の背凭れ２とからなる腰掛け部を有し、該腰掛け部の左右両側に、側面形がほぼ矩形状を呈して、上部が肘掛け４となる脚部７を備える椅子１である。
【００１７】
特に、後述する、前記脚部７の下端後部には、走行をロックするロック機能付きキャスタ６２（リフトロック式キャスタ）を有しており、該キャスタ６２の後部が前記脚部７より後下方に突出して取り付けられることで、前記ロック機能付きキャスタ６２のロック若しくはロック解除部（操作レバー６３）が脚部７より後方に配置される構成である。これにより、比較的大型の備え付けロビーチェア等であっても、移動を安定的に容易とし、かつ、移動の必要が無い場合には、通常の備え付けタイプとしても利用可能なロビー用の椅子を提供することが可能である。
【００１８】
また、側面形がほぼ矩形状の肘掛け４の内部には、記載台としてのテーブル５が収納されており、図１（ｂ）に示すように、椅子１の前方にテーブル５を形成することが可能である。これにより、会議などの場で筆記できる記載台としてのテーブルを備えた、使用性の高い椅子を提供することが可能である。
【００１９】
一般に銀行の窓口やホテルのラウンジ等で用いられる椅子１は、比較的大型の備え付けロビー用椅子であって、着座時に動いてしまうことを防ぐためキャスタを有さず、椅子１の移動時には持ち上げて若しくは引きずって移動させる必要がある。
【００２０】
本発明の椅子１は、椅子１の下方にリフトロック式キャスタ６２を備えており、比較的大型の備え付けロビー用の椅子１であっても移動を容易とし、移動の必要が無い場合には、通常の備え付け椅子１としても利用可能とした点に特徴がある。
【００２１】
以下に、本発明の椅子１の各部について詳述する。
【００２２】
まず、本発明の椅子１における、脚部７およびキャスタ６について説明する。
本発明の椅子１は、図２（ａ）（ｂ）に示すように、脚部７の下端前部には、下方に突出するキャスタ６１を有し、かつ、前記脚部７の下端後部には、走行をロックするロック機能付きキャスタ６２を有しており、前記キャスタ６２が前記脚部７より後下方に突出して取り付けられることで、ロック機能付きキャスタ６２のロック若しくはロック解除部（操作レバー６３）が脚部７より後方に配置されている。
【００２３】
これにより、比較的大型の椅子１を移動させる際にも、椅子１を後方に傾斜させて椅子１の前方を僅かに浮かせた状態で、簡単に移動させることが可能である。特に、椅子の傾斜により脚部の後方が床面に当接してしまい脚部を擦ることなく、スムースに椅子を移動させることが可能である。また、脚部７の前後幅が比較的狭い場合でも、床面を走行する前後のキャスタ６１，６２を広い間隔をもって配置することが可能であり、安定して椅子１を走行移動させることができるとともに、ロック機能付きキャスタ６２のロック若しくはロック解除のための操作レバー６３やボタン等が脚部７より後方に配置されるため、キャスタ６２のロックまたはロック解除を容易にできる効果がある。さらには、キャスタ６２が着座者の足元の邪魔となることもなく、不用意にロックまたはロックが解除される誤操作を生じることがない。
【００２４】
特に、ロック機構を有する前記キャスタ６２は、リフトロック式のキャスタ６２であって、キャスタ６２の後方に位置し上下動する操作レバー６３を押踏することで、後述する、キャスタ６２から支持軸６４が下方に突出して椅子全体を持ち上げて支持する構成であり、比較的大型の椅子１であっても、その移動を強固に防止することが可能である。
【００２５】
また、前記キャスタ６２の少なくとも外側には、目隠しとなるカバー６４が形成されている。すなわち、前記キャスタ６は、脚部下面の図示しない窪みに固着されており、キャスタ６の外側が脚部下方のカバー６４で覆われる構成である。これにより、椅子全体の意匠性が向上するとともに、使用者からはキャスタ６が見えにくいため、通常の備え付け椅子であるロビーチェアとして認識させる効果がある。特に、前記キャスタ６を覆う脚部７の前記カバー６４を金属等の硬質な素材とすれば、移動時にロック機能付きキャスタ６２がテーブルの脚や壁面等に衝突して破損することも防止できる効果がある。さらには、脚部７の前記カバー６４をキャスタ６２の外側に接近して設けることで、キャスタ６が垂直な取付軸まわりに回転する範囲を容易に規制することが可能である。
【００２６】
また、脚部７の前記カバー６４は、下方かつ後方にかけて突出した円弧形状６５をなしており、該円弧状の突出部分６５は、キャスタ６２の側面形とほぼ補形をなす円弧形状６５をなしている。これにより、キャスタ６２をほぼ覆い隠すことが可能であり、前述の目隠し効果のみならず、移動時に後方のキャスタ６２が壁等に衝突して破損することをより確実に防止することが可能である。
【００２７】
前記脚部７の後縁は、斜め下後方に傾斜θしており、脚部全体を比較的軽量なものとしながらも脚部７の下方にかけて幅広の形状とし、前後のキャスタ６の配置間隔を広くすることが可能であり、比較的大型の椅子であっても着座時の安定性のみならず移動時に安定した走行を奏することが可能である。
【００２８】
次に、本発明の椅子における、記載台としてのテーブルについて説明する。
側面形がほぼ矩形状の前記肘掛け４の内部には、記載台としてのテーブル５が収納されており、支持具５２を介して肘掛け４の前方に軸支されている。そして、後述する、肘掛け４からテーブル５を引き出すことにより、椅子１の前方にテーブル５を形成することが可能であり、振込用紙への記載時や会議での記載台としてテーブル５を好適に使用することが可能である。
【００２９】
特に、前記脚部の後下方に突出して設けたキャスタ６２と対角位置となる肘掛け４の上端前部に、前後方向かつ左右方向に回動自在な支持具５２を介してテーブル５が設けられており、テーブル５を用いる際にも、椅子全体のバランスが良好である。
すなわち、テーブルに凭れ掛かるなどして、テーブルに上方からの大きな荷重が掛かっても、テーブル５とキャスタ６２の前後の配置関係が広く、椅子の後部が浮き上がって前方に転倒することを防止することが可能であり、テーブルを用いた筆記時の安定性を向上することが可能である。さらには、テーブルの支持具の前部を肘掛け４の前端よりさらに前方に突出させて設けているから、テーブルが肘掛け４の内部に格納されていることを着座者が容易に認識することが可能である。
【００３０】
以下に、テーブル５の収納状態から使用状態に至る各構成について説明する。
前記肘掛４けには、その上面にクッション性の高い肘カバー４ａを有し、特に、着座時における右側の肘カバー４ａは、図示しないヒンジ等の回動部材を介して外方へと開閉自在に形成されている。
【００３１】
前記肘掛け内部の収納空間４１には、テーブル５が収納されており、テーブルの天板５１は、収納状態において、天板５１の一部が収納空間４１より上方に突出している。このとき、肘カバー４ａの下面には、凹部４２が形成されており、該凹部４２へと、前記突出する天板５１の一部が入り込みカバーされる構成である。
【００３２】
そして、肘掛け内部の前記テーブル５を引き出す際には、図３に示すように、まず、肘カバー４ａを外方へと開き、前記収納空間４１に収納された天板５１の一部を露出させ、該天板５１の一部を把持して持ち上げることにより、テーブル５が前記支持具５２を介して前後方向（矢印方向）へと回動し収納空間４１から引き出される構成である。
【００３３】
前記支持具５２は、肘掛け４の前方に固着される部材と、該部材に軸支され前後方向に回動するアームとからなり、該アームの先端にテーブル５の天板５１を左右方向に回動自在に軸支してなる。そして、前記テーブル５は収納空間４１から引き出された後、図４に示すように、収納状態から略１８０度回動させた直立状態においてテーブル５の回動が規制される構成である。
【００３４】
次に、この状態（直立状態）から、図５に示すように、肘掛け４と直交する左右方向（矢印方向）にテーブル５を回動させる。すなわち、直立状態の天板５１を、左右方向に９０度回動させることにより、図６に示すように、天板５１が平行状態となりテーブル１の回動が規制される構成である。
【００３５】
このように、肘掛け内部４１に収納されたテーブル５を前後方向かつ左右方向に回動自在な支持具５２を介して前記肘掛け４に取り付けることにより、収納状態のテーブル５を直立状態まで回動した後、さらに平行状態に回動する簡単な操作で、図７に示すように、椅子１の前方にテーブル５を形成することが可能であり、比較的大型の備え付けロビー用の椅子１であっても、会議などの場で筆記するための記載台としてのテーブル５を備えた、使用性の高いロビーチェア１を提供することが可能である。
【００３６】
次に、椅子１の下方に設けられたリフトロック式のキャスタ６２について説明する。
前述のとおり、前記肘掛け４および前記脚部７は、側面視略矩形をなして一体に形成されており、脚部７の下方からはキャスタ６１、６２の下部分が僅かに露出している程度である。すなわち、前記キャスタ６は、脚部７の下面に形成された図示しない窪みに固着され、キャスタ６の外側が脚部７のカバー６４で覆われている。これにより、使用者からはキャスタ６が見えにくいため、通常の固定椅子であるロビーチェアとして認識させることが可能である。同様に、前記キャスタ６は、該キャスタ６２の操作レバー６３が、脚部７の後端より僅かに外方に突出するように設けられており、着座者からはキャスタ６の操作レバー６３が見えにくく、備え付けの固定椅子１として認識させることが可能である。
【００３７】
そして、会議などでロビー用の椅子１を移動させる際には、前記操作レバー６３を足先で跳ね上げて、キャスタ６２のロックを解除するとともに、所望の位置へと椅子１を移動させた後、図８に示すように、操作レバー６３を踏圧することにより、キャスタ６２から棒状の支持具６４が下方に突出するとともに椅子全体を持ち上げて固定（リフトロック）することが可能である。
【００３８】
例えば、備え付けのロビー用椅子１として用いる場合の一例としては、図９（ａ）に示すように、キャスタ６をロックした状態かつテーブル５を収納した状態とすることで、銀行のロビーやホテルのラウンジ等で等間隔に並べた状態で、好適に用いることが可能である。他方、銀行の営業終了後において、会議用の椅子１として用いる際には、キャスタ６を解除して椅子１を各々の席に移動した後、図９（ｂ）に示すように、再び、キャスタ６をロックするとともにテーブル５を引き出して使用状態とすることで、会議用のテーブル付き椅子１として好適に用いることが可能である。  
【００３９】
このように、本発明の椅子１は、比較的大型の備え付けロビーチェア等であっても、移動を安定的に容易とし、かつ、移動の必要が無い場合には、通常の備え付けタイプとしても利用可能なロビー用の椅子１を提供するとともに、さらには、会議などの場で筆記できる記載台としてのテーブル５を備えた、使用性の高い椅子１を提供することが可能である。
【図面の簡単な説明】
【００４０】
【図１】本発明の椅子における（ａ）テーブル収納時を示す（ｂ）テーブルの使用時を示す、図である。
【図２】本発明の椅子における（ａ）右側面図を示す（ｂ）正面図を示す、説明図である。
【図３】本発明の椅子におけるテーブルの引出し時を示す（ａ）略正面図（ｂ）略背面図である。
【図４】本発明の椅子における（ａ）右側面図を示す（ｂ）正面図を示す、説明図である。
【図５】本発明の椅子におけるテーブルの引出し時を示す（ａ）略正面図（ｂ）略背面図である。
【図６】本発明の椅子における（ａ）右側面図を示す（ｂ）正面図を示す、説明図である。
【図７】本発明の椅子におけるテーブルの引出し時を示す（ａ）略正面図（ｂ）略背面図である。
【図８】本発明の椅子におけるテーブルの引出し時を示す（ａ）略背面図である（ｂ）右側面図である。
【図９】本発明の椅子における使用状態の一例（ａ）備え付けロビーチェアとして使用した例（ｂ）会議用の椅子として使用した例を示す説明図である。
【符号の説明】
【００４１】
１  椅子
２  背クッション
３  座クッション
４  肘掛け
５  テーブル
６  キャスタ
【図１】
2011125616.tif 000003
【図２】
2011125616.tif 000004
【図３】
2011125616.tif 000005
【図４】
2011125616.tif 000006
【図５】
2011125616.tif 000007
【図６】
2011125616.tif 000008
【図７】
2011125616.tif 000009
【図８】
2011125616.tif 000010
【図９】
2011125616.tif 000011